【手続補正書】
【提出日】平成19年3月8日(2007.3.8)
【手続補正１】
【補正対象書類名】特許請求の範囲
【補正対象項目名】全文
【補正方法】変更
【補正の内容】
【特許請求の範囲】
【請求項１】
装着型電子ディスプレイ・ユニットであって、２つのモードにて、すなわち主たる閲覧者が該ディスプレイ・ユニットを装着している者である１つのモード、および主たる閲覧者が該ディスプレイ・ユニットを装着している者から読み取り距離の範囲内に位置している他の者である第２のモードにて、画像を表示するための装着型電子ディスプレイ・ユニットであり、該装着型電子ディスプレイ・ユニットは、
ユーザによって装着されるように構成されるとともに、画像を表示することができるディスプレイを有している可視ディスプレイ・ユニット、および
該ディスプレイが１つの垂直方向を事実上向いているか、あるいは反対の垂直方向を事実上向いているかを検出し、該垂直方向を知らせる電子信号をもたらすセンサ
を有しており、
該ディスプレイが、該ディスプレイが該１つの垂直方向を事実上向いていることを知らせる該センサからの信号に応答して、表示画像を第１の垂直方向に向け、該ディスプレイが、該ディスプレイが該反対の垂直方向を向いていることを知らせる該センサからの信号に応答して、表示画像を第２の反対の垂直方向に向ける、装着型電子ディスプレイ・ユニット。
【請求項２】
第１の者によって装着可能な電子ディスプレイ装置であって、
第２の者が一距離から閲覧するための第１のモードと、該第１の者が近くで読み取るための第２のモードとにおいて、情報を表示するためのディスプレイ・スクリーンを有しており、
該表示された情報が、該第１の者によって装着可能なディスプレイ装置に含まれている情報と、該第２の者によって装着されている装置からの情報とに由来する、電子ディスプレイ装置。
【請求項３】
表示画像の少なくとも一部が、該表示画像が前記第２の者による閲覧のために表示されるときの方が、該表示画像が前記第１の者による閲覧のために表示されるときよりも大きい、請求項２に記載の装着型電子ディスプレイ装置。
【請求項４】
表示画像の少なくとも一部が、前記第２の者による閲覧のために表示されるとき、１つの垂直方向に表示され、前記第１の者による閲覧のために表示されるとき、反対の垂直方向に表示される、請求項２に記載の装着型電子ディスプレイ装置。
【請求項５】
グラフィックおよびテキスト画像を表示するための装着型電子ディスプレイ・ユニットであって、他の同様の装着型ディスプレイと通信するための装着型電子ディスプレイ・ユニットであり、該装着型電子ディスプレイ・ユニットは、
ユーザによって装着されるように構成され、可視グラフィック・ディスプレイを有しており、該可視ディスプレイが、テキストおよびグラフィック画像を表示することができるディスプレイ・ユニット、および
該ディスプレイ・ユニットに組み込まれデータ送信および受信インターフェイスを有している短距離の事実上単一方向性の電子通信チャンネル
を有しており、
該電子通信チャンネルが、該ディスプレイ・ユニットが装着者に装着されたときに、該インターフェイスが事実上単一方向性の通信の方向に面して、同様のディスプレイ・ユニットを同様に装着している他の者との電子通信を可能にし、これによって２名の装着者の装着するそれぞれのディスプレイ・ユニット間でそれぞれのディスプレイ・ユニットのインターフェイスを通じてデータを交換できるようにするよう、該ディスプレイ・ユニット上に位置している、装着型電子ディスプレイ・ユニット。
【請求項６】
前記電子通信チャンネルが、赤外線ビームを送信および受信する、請求項５に記載の装着型電子ディスプレイ・ユニット。
【請求項７】
画像を表示するための装着型電子ディスプレイ・ユニットであって、他の同様の装着型ディスプレイと通信するための装着型電子ディスプレイ・ユニットであり、
ユーザによって装着されるように構成され、可視ディスプレイを有しており、該可視ディスプレイが画像を表示することができるディスプレイ・ユニット、
同様のディスプレイ・ユニットを同様に装着している他の者との電子通信を可能にし、これによって２名の装着者の装着するそれぞれのディスプレイ・ユニット間でそれぞれのディスプレイ・ユニットのインターフェイスを通じてデータを交換できるようにするため、該ディスプレイ・ユニットに組み込まれデータ送信および受信インターフェイスを有している第１の短距離電子通信チャンネル、および
該ディスプレイ・ユニットに組み込まれ、該第１の電子通信チャンネルと異なる種類のデータ伝送システムを使用する第２のより長距離の電子通信チャンネル
を有している、装着型電子ディスプレイ・ユニット。
【請求項８】
前記第１の通信チャンネルが、赤外線ビームを使用して送信および受信を行なう、請求項７に記載の装着型電子ディスプレイ・ユニット。
【請求項９】
前記第２の通信チャンネルが、ＲＦＩＤを使用して送信および受信を行なう、請求項７に記載の装着型電子ディスプレイ・ユニット。
【請求項１０】
前記第１の通信チャンネルが、赤外線ビームを使用して送信および受信を行ない、前記第２の通信チャンネルが、ＲＦＩＤを使用して送信および受信を行なう、請求項７に記載の装着型電子ディスプレイ・ユニット。
【請求項１１】
前記第２の通信チャンネルが、複数のディスプレイ・ユニットへと送信されたデータを受信することができる、請求項７に記載の装着型電子ディスプレイ・ユニット。
【請求項１２】
画像を表示するための装着型電子ディスプレイ・ユニットであって、他の同様の装着型ディスプレイと通信するための装着型電子ディスプレイ・ユニットであり、
ユーザによって装着されるように構成され、可視ディスプレイを有しており、該可視ディスプレイが画像を表示することができるディスプレイ・ユニット、
該ディスプレイ・ユニットに組み込まれたデータ送信および受信インターフェイスを有し、該ディスプレイ・ユニットが装着者に装着されたときに、該インターフェイスが同様のディスプレイ・ユニットを同様に装着している他の者との電子通信を可能にするための方向に面して、２名の装着者の装着するそれぞれのディスプレイ・ユニット間でそれぞれのディスプレイ・ユニットのインターフェイスを通じてデータを交換できるようにするよう、該ディスプレイ・ユニット上に位置している電子通信チャンネル
該ディスプレイ・ユニットに収容され、前記電子通信チャンネルに時間についての情報を提供するタイマー
を有している、装着型電子ディスプレイ・ユニット。
【請求項１３】
前記第２の通信チャンネルが、複数のディスプレイ・ユニットへと送信されたデータを選択的に受信するように構成されている、請求項７に記載の装着型電子ディスプレイ・ユニット。
【請求項１４】
前記送信されたデータが前記ディスプレイ・ユニットの装着者に向けられたデータを含んでいるか否かを決定することができるデータ検出装置
をさらに有している、請求項１３に記載の装着型電子ディスプレイ・ユニット。
【請求項１５】
前記ディスプレイ・ユニットに組み込まれた手動によるユーザ・インターフェイスをさらに有しており、前記装着者が該ユニットへとデータを手動で入力できるようにしている、請求項５に記載の装着型電子ディスプレイ・ユニット。
【請求項１６】
前記手動によるユーザ・インターフェイスが、上スクロール、下スクロール、および選択のためのボタンを含んでいる、請求項１５に記載の装着型電子ディスプレイ・ユニット。
【請求項１７】
注意を引く必要がある装着者へと通知をするように構成された信号発生器をさらに有している、請求項５に記載の装着型電子ディスプレイ・ユニット。
【請求項１８】
前記信号発生器が光発生器である、請求項１７に記載の装着型電子ディスプレイ・ユニット。
【請求項１９】
前記光発生器がＬＥＤである、請求項１８に記載の装着型電子ディスプレイ・ユニット。
【請求項２０】
前記信号発生器が音響発生器である、請求項１７に記載の装着型電子ディスプレイ・ユニット。
【請求項２１】
前記ディスプレイ・ユニットが、前記装着者の首の周りのランヤードに装着されるように構成されている、請求項５に記載の装着型電子ディスプレイ・ユニット。
【請求項２２】
前記ディスプレイ・ユニットが、前記装着者へとクリップ留めされて装着されるように構成されている、請求項５に記載の装着型電子ディスプレイ・ユニット。
【請求項２３】
前記ディスプレイが、バックライト付きＬＣＤディスプレイである、請求項５に記載の装着型電子ディスプレイ・ユニット。
【請求項２４】
前記バックライトが、所定の時間期間後に自動的にオフするように時間設定されている、請求項２３に記載の装着型電子ディスプレイ・ユニット。
【請求項２５】
前記バックライトが、或る者が装着するディスプレイ・ユニットが他の者が装着する他のディスプレイ・ユニットの所定の範囲に至ったとき、自動的にオンされる、請求項２４に記載の装着型電子ディスプレイ・ユニット。
【請求項２６】
前記手動によるインターフェイスが、押されたときに所定のデータを他の者が装着する他のディスプレイ・ユニットへと送信するボタンを含んでいる、請求項１５に記載の装着型電子ディスプレイ・ユニット。
【請求項２７】
前記ディスプレイ・ユニットが、時間に関するデータを通信できる、請求項１２に記載の装着型電子ディスプレイ・ユニット。
【請求項２８】
前記ディスプレイ・ユニットが、所定の時間の経過にもとづいて機能を変化させることができる、請求項１２に記載の装着型電子ディスプレイ・ユニット。
【請求項２９】
前記ディスプレイ・ユニットが、所定の時間の経過にもとづいて、所定の情報の受信または送信を変化できる、請求項１２に記載の装着型電子ディスプレイ・ユニット。
【請求項３０】
前記第２の通信チャンネルを、前記ディスプレイ・ユニットをプログラムするために使用できる、請求項７に記載の装着型電子ディスプレイ・ユニット。
【請求項３１】
前記第２の通信チャンネルを、複数のディスプレイ・ユニットから情報を提供するために使用できる、請求項７に記載に記載の装着型電子ディスプレイ・ユニット。
【請求項３２】
ＧＰＳ信号を受信するための受信器をさらに有している、請求項５に記載の装着型電子ディスプレイ・ユニット。
【請求項３３】
それぞれがグラフィック・ディスプレイおよび双方向の電子通信能力を有しているディスプレイ・ユニットに関し、第１の装着者に見えるようなやり方で第２の装着者に装着されたディスプレイ・ユニットと対面で通信する方法であって、
該第１の装着者についての個人情報を含んでいる情報の第１のパケットを、第１の装着者のディスプレイ・ユニットから該第２の装着者のディスプレイ・ユニットへと電子的に渡すこと、および
該情報の第１のパケットと該第２の装着者のディスプレイ・ユニット内に含まれている該第２の装着者についての個人情報を含んでいる情報の第２のパケットとの比較にもとづくテキスト情報を、該第２の装着者のディスプレイ・ユニットに表示すること
を含んでおり、
該第２の装着者のディスプレイ・ユニットに表示されたテキスト情報が、該第１の装着者にとって視認可能である、方法。
【請求項３４】
前記情報を表示するステップが、前記第２の装着者のディスプレイ・ユニットによる前記情報の第１のパケットの受信に応答して実行されること
をさらに特徴とする、請求項３３に記載の方法。
【請求項３５】
各ディスプレイ・ユニットが、他のディスプレイ・ユニットの装着者にとって視認可能であるように装着者に装着されること
をさらに特徴とする、請求項３３に記載の方法。
【請求項３６】
前記第１の装着者が、前記第２の装着者のディスプレイ・ユニット上に表示された情報にもとづいて行為を行なうステップ
をさらに特徴とする、請求項３３に記載の方法。
【請求項３７】
前記行為が、前記情報の第２のパケットによって補助されること
をさらに特徴とする、請求項３６に記載の方法。
【請求項３８】
前記行為が、誰かを見つけようとする試みであること
をさらに特徴とする、請求項３６に記載の方法。
【請求項３９】
前記行為が、誰かを見つけようとする試みであること
をさらに特徴とする、請求項３７に記載の方法。
【請求項４０】
前記情報の第２のパケットが、前記第２の装着者に関する情報であることをさらに特徴と
する、請求項３３に記載の方法。
【請求項４１】
前記情報の第２のパケットが、前記第１または第２の装着者ではない第３の者に関する情報であることをさらに特徴とする、請求項３３に記載の方法。
【請求項４２】
前記情報の第１のパケットが、前記第１の装着者に関する情報であることをさらに特徴とする、請求項３３に記載の方法。
【請求項４３】
前記情報の第１のパケットが、前記第１または第２の装着者ではない第３の者に関する情報であることをさらに特徴とする、請求項３３に記載の方法。
【請求項４４】
前記情報の第２のパケットが、時間に関する情報であること
をさらに特徴とする、請求項３３に記載の方法。
【請求項４５】
前記情報の第２のパケットが、前記第１または第２の装着者ではない第３の者に関し、かつ時間に関する情報であること
をさらに特徴とする、請求項３３に記載の方法。
【請求項４６】
前記情報の第２のパケットが、前記第２のディスプレイ・ユニットの装着者が前記第１または第２の装着者ではない第３の者とやり取りしてからの経過時間に関する情報であることをさらに特徴とする、請求項４５に記載の方法。
【請求項４７】
前記情報の第２のパケットが、前記第１または第２の装着者ではない第３の者の位置に関する情報であることをさらに特徴とする、請求項３３に記載の方法。
【請求項４８】
前記情報の第１および第２のパケットが、両方とも、前記第１または第２の装着者ではない同じ第３の者に関する情報であることをさらに特徴とする、請求項３３に記載の方法。
【請求項４９】
前記情報の第１および第２のパケットの一方が、それぞれ前記第１または第２のディスプレイ・ユニットの装着者が電子的に通信した他の者に関する情報であることをさらに特徴とする、請求項３３に記載の方法。
【請求項５０】
前記情報の第１および第２のパケットの両方が、それぞれ前記第１または第２のディスプレイ・ユニットの装着者が電子的に通信した他の者に関する情報であることをさらに特徴とする、請求項３３に記載の方法。
【請求項５１】
前記情報の第１および第２のパケットの一方が、それぞれ前記第２または第１のディスプレイ・ユニットの装着者が電子的に通信した他の者の数に関する情報であることをさらに特徴とする、請求項３３に記載の方法。
【請求項５２】
前記情報の第１および第２のパケットの両方が、それぞれ前記第１または第２のディスプレイ・ユニットの装着者が電子的に通信した他の者の数に関する情報であることをさらに特徴とする、請求項３３に記載の方法。
【請求項５３】
それぞれの電子ディスプレイ・ユニットの装着者間の対面でのやり取りの方法であって、各ディスプレイ・ユニットが、テキスト・ディスプレイ、双方向の電子通信能力、および手動での該ディスプレイ・ユニットへの情報入力能力を有しており、第２の装着者のディスプレイ・ユニットが、第１の装着者に見えるようなやり方で第２の装着者に装着されており、
該方法が、
該第１の装着者のディスプレイ・ユニットへと手動で入力された情報を含んでいる情報の第１のパケットを、該第１の装着者のディスプレイ・ユニットから該第２の装着者のディスプレイ・ユニットへと電子的に渡すこと、および
該情報の第１のパケットならびに該第２の装着者のディスプレイ・ユニット内に含まれている情報の第２のパケットにもとづく情報を含んでいるテキスト情報を、該第２の装着者のディスプレイ・ユニットに表示すること
を含んでおり、
該第２の装着者のディスプレイ・ユニットに表示されるテキスト情報が、該第１の装着者にとって視認可能である、方法。
【請求項５４】
前記情報の第２のパケットが、前記第２の装着者のディスプレイ・ユニットへと手動で入力された情報をさらに含んでいることをさらに特徴とする、請求項５３に記載の方法。
【請求項５５】
前記第２の装着者のディスプレイ・ユニットに表示される前記テキスト情報が、前記第１および第２の装着者のディスプレイ・ユニットへと手動で入力された情報にもとづいていることをさらに特徴とする、請求項５４に記載の方法。
【請求項５６】
前記第２の装着者のディスプレイ・ユニットに表示される前記テキスト情報が、前記第１の装着者のディスプレイ・ユニットへと手動で入力された情報の、該第２の装着者のディスプレイ・ユニットへと手動で入力された情報との比較にもとづいていることをさらに特徴とする、請求項５５に記載の方法。
【請求項５７】
固定位置に位置しているテキスト表示器と電子ディスプレイ・ユニットの装着者との間でのやり取りの方法であって、該ディスプレイ・ユニットが、テキスト・ディスプレイおよび双方向の電子通信能力を有しており、該固定位置に位置しているテキスト表示器と電子的に通信できるやり方で該装着者に装着されており、
該方法が、
情報の第１のパケットを、該装着者のディスプレイ・ユニットから該固定位置に位置しているテキスト表示器へと電子的に渡すこと、および
該情報の第１のパケットならびに該固定位置に位置しているテキスト表示器内に含まれている情報の第２のパケットにもとづく情報を含んでいるテキスト情報を、該固定位置に位置しているテキスト表示器に表示すること
を含んでおり、
該固定位置に位置しているテキスト表示器に表示された該テキスト情報が、該第１の装着者にとって視認可能である、方法。
【請求項５８】
それぞれの電子ディスプレイ・ユニットの装着者間の会合における対面でのやり取りの方法であって、各ディスプレイ・ユニットが、テキスト・ディスプレイおよび双方向の電子通信能力を有しており、第２の装着者のディスプレイ・ユニットが、第１の装着者に見えるようなやり方で第２の装着者に装着されており、
該方法が、
該会合における第１の装着者の個人的活動に関する情報を含んでいる装着者の個人情報を含んでいる情報の第１のパケットを、該第１の装着者のディスプレイ・ユニットから該第２の装着者のディスプレイ・ユニットへと電子的に渡すこと、および
該情報の第１のパケットに含まれている該第１の装着者の個人的活動と、該第２の装着者のディスプレイ・ユニット内に含まれており第２の装着者についての個人情報を含んでいる情報の第２のパケットとにもとづくテキスト情報を、第２の装着者のディスプレイ・ユニットに表示すること
を含んでおり、
該第２の装着者のディスプレイ・ユニットに表示されるテキスト情報が、該第１の装着者
にとって視認可能である、方法。
【請求項５９】
前記情報の第２のパケットが、前記会合における第２の装着者の個人的活動に関する情報を含んでいることをさらに特徴とする、請求項５８に記載の方法。
【請求項６０】
前記第２の通信システムが無線通信システムである、請求項７に記載の方法。
【請求項６１】
前記信号生成器が、装着者の知覚できる振動を生じさせる、請求項１７に記載の装着型電子ディスプレイ・ユニット。
【請求項６２】
２つのディスプレイ・ユニットを使用する対面型のやり取りの方法であって、第２の装着者のディスプレイ・ユニットが、第１の装着者に見えるようなやり方で第２の装着者に装着されており、
該方法が、
該第１の装着者のソーシャル・ネットワークに関するデータを含んでいる情報の第１のパケットを、該第１の装着者のディスプレイ・ユニットから該第２の装着者のディスプレイ・ユニットへと電子的に渡すこと、および
該情報の第１のパケットと、該第２の装着者のディスプレイ・ユニット内に含まれており該第２の装着者に関するソーシャル・ネットワーク情報を含んでいる情報の第２のパケットとの比較にもとづくテキスト情報を、該第２の装着者のディスプレイ・ユニットに表示すること
を含んでおり、
該第２の装着者のディスプレイ・ユニットに表示されるテキスト情報が、該第１の装着者にとって視認可能であるとともに、当該２名の装着者のソーシャル・ネットワークの間の共通性を表現している、方法。
【請求項６３】
前記情報を表示するステップが、前記第２の装着者のディスプレイ・ユニットによる前記情報の第１のパケットの受信に応答して実行されることをさらに特徴とする、請求項６２に記載の方法。
【請求項６４】
各ディスプレイ・ユニットが、他のディスプレイ・ユニットの装着者にとって視認可能であるように装着者に装着されることをさらに特徴とする、請求項６２に記載の方法。
【請求項６５】
前記第１の装着者が、前記第２の装着者のディスプレイ・ユニット上に表示された情報にもとづいて行為を行なうステップをさらに特徴とする、請求項６２に記載の方法。
【請求項６６】
前記行為が、前記情報の第２のパケットによって補助されることをさらに特徴とする、請求項６５に記載の方法。
【請求項６７】
前記行為が、誰かを見つけようとする試みであることをさらに特徴とする、請求項６６に記載の方法。
【請求項６８】
前記情報の第２のパケットが、前記第２の装着者に関する情報であることをさらに特徴とする、請求項６２に記載の方法。
【請求項６９】
前記情報の第２のパケットが、前記第１または第２の装着者ではない第３の者に関する情報であることをさらに特徴とする、請求項６２に記載の方法。
【請求項７０】
前記情報の第１のパケットが、前記第１の装着者に関する情報であることをさらに特徴とする、請求項６２に記載の方法。
【請求項７１】
前記情報の第１のパケットが、前記第１または第２の装着者ではない第３の者に関する情報であることをさらに特徴とする、請求項６２に記載の方法。
【請求項７２】
前記情報の第２のパケットが、時間に関する情報であること
をさらに特徴とする、請求項６２に記載の方法。
【請求項７３】
前記情報の第２のパケットが、前記第１または第２の装着者ではない第３の者に関し、かつ時間に関する情報であることをさらに特徴とする、請求項６２に記載の方法。
【請求項７４】
前記情報の第２のパケットが、前記第２のディスプレイ・ユニットの装着者が前記第１または第２の装着者ではない第３の者とやり取りしてからの経過時間に関する情報であることをさらに特徴とする、請求項７３に記載の方法。
【請求項７５】
前記情報の第２のパケットが、前記第１または第２の装着者ではない第３の者の位置に関する情報であることをさらに特徴とする、請求項６２に記載の方法。
【請求項７６】
前記情報の第１および第２のパケットが、両方とも、前記第１または第２の装着者ではない同じ第３の者に関する情報であることをさらに特徴とする、請求項６２に記載の方法。
【請求項７７】
前記情報の第１および第２のパケットの一方が、それぞれ前記第１または第２のディスプレイ・ユニットの装着者が電子的にやり取りした他の者に関する情報であることをさらに特徴とする、請求項６２に記載の方法。
【請求項７８】
前記情報の第１および第２のパケットの両方が、それぞれ前記第１または第２のディスプレイ・ユニットの装着者が電子的にやり取りした他の者に関する情報であることをさらに特徴とする、請求項６２に記載の方法。
【請求項７９】
前記情報の第１および第２のパケットの一方が、それぞれ前記第２または第１のディスプレイ・ユニットの装着者が電子的にやり取りした他の者の数に関する情報であることをさらに特徴とする、請求項６２に記載の方法。
【請求項８０】
前記情報の第１および第２のパケットの両方が、それぞれ前記第１または第２のディスプレイ・ユニットの装着者が電子的にやり取りした他の者の数に関する情報であることをさらに特徴とする、請求項６２に記載の方法。
【請求項８１】
それぞれの電子ディスプレイ・ユニットの装着者間の会合における対面でのやり取りの方法であって、各ディスプレイ・ユニットが、テキスト・ディスプレイおよび双方向の電子通信能力を有しており、第２の装着者のディスプレイ・ユニットが、第１の装着者に見えるようなやり方で第２の装着者に装着されており、
該方法が、
該ディスプレイ・ユニットの装着者に関する関係情報を含んでいる情報の第１のパケットであって、該第１の装着者が知っている人々に関する情報を含んでいる装着者についての個人情報を含んでいる情報の第１のパケットを、該第２の装着者のディスプレイ・ユニットへと渡すこと、および
該情報の第１のパケットに含まれている該第１の装着者の関係情報と、該第２の装着者のディスプレイ・ユニット内に含まれており該第２の装着者が知っている人々に関する情報を含んでいる情報の第２のパケットとにもとづくテキスト情報を、該第２の装着者のディスプレイ・ユニットに表示すること
を含んでおり、
該第２の装着者のディスプレイ・ユニットに表示されるテキスト情報が、該第１の装着者にとって視認可能であるとともに、当該２名の装着者が共通に知っている人々に関する情報を表示している、方法。
【請求項８２】
画像を表示するための装着型電子ディスプレイ・ユニットであって、他の同様の装着型ディスプレイと通信するための装着型電子ディスプレイ・ユニットであり、該装着型電子ディスプレイ・ユニットは、
第１の装着者によって装着されるように構成され、可視ディスプレイを有しており、該可視ディスプレイがテキストおよびグラフィック画像を表示できる第１のディスプレイ・ユニットであって、該第１の者のソーシャル・ネットワーク・データベースに関する情報を含んでおり、ソーシャル・ネットワーク・データベースからのデータを比較する能力を有している第１のディスプレイ・ユニット、および
該第１のディスプレイ・ユニットに組み込まれたデータ送信および受信インターフェイスを有している短距離の事実上単一方向性の電子通信チャンネル
を有しており、
該電子通信チャンネルが、該第１のディスプレイ・ユニットが装着者に装着されたときに、該インターフェイスが事実上単一方向性の通信の方向に面して、第２のディスプレイ・ユニットを同様に装着している第２の者との電子通信を可能にするよう、該第１のディスプレイ・ユニット上に位置しており、
該第２のディスプレイ・ユニットが、該第２の者のソーシャル・ネットワーク・データベースに関する情報を含むとともに、やはりソーシャル・ネットワーク・データベースからのデータを比較する能力を有しており、
これによって各人のソーシャル・ネットワーク・データベースに関するデータを、該２者が装着するそれぞれのディスプレイ・ユニットの間で、それぞれのディスプレイ・ユニットのインターフェイスを通じて交換できるとともに、該２者のソーシャル・ネットワーク・データベースを一方のディスプレイ・ユニットにて比較し、結果を一方のディスプレイ・ユニットに表示できる、装着型電子ディスプレイ・ユニット。
【請求項８３】
前記電子通信チャンネルが、赤外線ビームを送信および受信する、請求項８２に記載の装着型電子ディスプレイ・ユニット。
【請求項８４】
前記ディスプレイが１つの垂直方向を事実上向いているか、あるいは反対の垂直方向を事実上向いているかを検出し、前記垂直方向を知らせる電子信号をもたらすセンサをさらに有している、請求項８２に記載の装着型電子ディスプレイ・ユニット。